(57)【特許請求の範囲】
【請求項１】
空調機本体と空気取入口との間に介設し、複数の集塵ユニット(1)をケーシング内に複数列・複数段に配設して構成した空調機取付用空気清浄機であって、
上記ケーシングは、前・後面開放に形成した分割ケーシング(4)を多段に積層して構成し、各分割ケーシング(4)は、横臥状態に載置可能な直方体形状に形成すると共に、同ケーシング(4)内に、複数の集塵ユニット(1)を横並びに一段収納するだけの装置収納空間(Q)を形成し、さらに、同ケーシング(4)の一側端面に集塵ユニット(1)の出し入れ口(7)を形成し、同出し入れ口(7)には、前記集塵ユニット(1)の集塵セル(2)に接続する電装部(9)を収納配設した扉体(8)を開閉自在に枢支したことを特徴とする空調機取付用空気清浄機。
【請求項２】
上記分割ケーシング(4)の天井壁(41)外面に位置決め用凸部(5)を形成すると共に、底壁(44)外面には、前記凸部(5)と対応する位置決め用凹部(6)を形成したことを特徴とする請求項１記載の空調機取付用空気清浄機。
【請求項３】
上記扉体(8)を枢支する段付蝶番(83)と側壁(42)との間に配線空間(89)を形成し、同配線空間(89)の上方に位置する天井壁(41)の縁部に配線用切欠部(89a)を形成したことを特徴とする請求項１又は２に記載の空調機取付用空気清浄機。
【発明の詳細な説明】
【０００１】
この発明は、清浄化した調和空気を空調空間へ供給するために、ビルディング等に設置した比較的大型の空調機に連設する空調機取付用空気清浄機に関するものである。
【０００２】
【従来の技術】
従来、ビルディング等では、所謂エアハンドリングユニットと呼ばれる大型の空調機を配設して室内空間等を空調するようにしたものが多く、近年では、同エアハンドリングユニットに空調機取付用空気清浄機を連設して、室内空間に清浄化した調和空気を供給するようにしたものが増えている。
【０００３】
上記の空調機取付用空気清浄機としては以下の構成のものが一般的である。
【０００４】
すなわち、塵粒子に帯電させる荷電部と、複数のプラス極板とマイナス極板とを交互に配設した集塵部とを具備する電子式の集塵セルと、比較的に大きな埃等を除去するフィルターとにより構成した集塵ユニットをケーシング内に収納して構成している。
【０００５】
かかるケーシングは、前・後面開放に形成し、前記エアハンドリングユニットの処理風量に合わせて、集塵ユニットをケーシング内の上下左右方向に連続的に必要個数収納できるだけの大きさとしている。また、ケーシングの天井壁には、集塵ユニットの電子式集塵セルと接続した電装部を配設している。
【０００６】
上記のように構成した空調機取付用空気清浄機を、空調機の空気取入口と空調機本体との間に介設し、汚れた未処理空気中の塵粒子を除去した清浄空気をエアハンドリングユニットに送り、清浄化した空気を所望する温度の調和空気として必要空間に供給している。
【０００７】
【発明が解決しようとする課題】
ところが、上記した空調機取付用空気清浄機には、未だ、以下のような課題があった。
【０００８】
すなわち、設置するエアハンドリングユニットに合わせて製造するために、ケーシングがかなり大きくなり、清浄機自体も大型・重量物となっていた。
【０００９】
従って、同空気清浄機の搬送には大型の搬送車両が必要となると共に、設置現場への搬入にも重機が必要となり、しかも、数人の作業員を必要とする手間がかかかるものであった。
【００１０】
また、同空気清浄機を建設中のビルディングに設置する場合は、大型であるためにビルディング内にどこからでも搬入できるものではない。したがって、エアハンドリングユニットの据付工事と同時に行う必要があり、工事現場への清浄機の着指定が厳しく定められていた。
【００１１】
上記理由から空調機取付用空気清浄機の搬送コストが高くなってしまい、空調システム全体コストを上昇させる要因となっていた。
【００１２】
本発明は、上記課題を解決することのできる空調機取付用空気清浄機を提供することを目的としている。
【００１３】
【課題を解決するための手段】
この発明は、空調機本体と空気取入口との間に介設し、複数の集塵ユニットをケーシング内に複数列・複数段に配設して構成した空調機取付用空気清浄機であって、上記ケーシングは、前・後面開放に形成した分割ケーシングを多段に積層して構成し、各分割ケーシングは、横臥状態に載置可能な直方体形状に形成すると共に、同ケーシング内に、複数の集塵ユニットを横並びに一段収納するだけの装置収納空間を形成し、さらに、同ケーシングの一側端面に集塵ユニットの出し入れ口を形成し、同出し入れ口には、前記集塵ユニットの集塵セルに接続する電装部を収納配設した扉体を開閉自在に枢支したことを特徴とする空調機取付用空気清浄機に係るものである。
【００１４】
また、本発明は、以下の構成にも特徴を有する。
【００１５】
（イ）上記分割ケーシングの天井壁外面に位置決め用凸部を形成すると共に、底壁外面には、前記凸部と対応する位置決め用凹部を形成した。
【００１６】
（ロ）上記扉体を枢支する段付蝶番と側壁との間に配線空間を形成し、同配線空間の上方に位置する天井壁の縁部に配線用切欠部を形成した。
【００２０】
【実施例】
この発明の実施例を図面に基づき以下に説明する。
【００２１】
図１は本発明に係る空調機取付用空気清浄機（以下、空気清浄機という）Ａの設置状態を示す説明図であり、同空気清浄機Ａは、ビルディング内に設けた機械室Ｂに設置した大型の空調機本体（エアハンドリングユニット）ＣにダクトＤを介して連設している。
【００２２】
空調機本体Ｃは、吸気口と吹出口とを有し、吸気口側に上記空気清浄機Ａを連設しており、吸気口と吹出口との中途には図示しない熱交換器と送風ファンとを具備している。
【００２３】
さらに、同熱交換器と別途配設した図示しない熱源機とを循環パイプで連通連結している。同循環パイプ内には温水または冷水が送水されており、熱交換器に導入されて熱交換された後、熱源機へ戻るように構成している。
【００２４】
上記構成により、矢印ｆのように未処理の空気をダクトＤ１を介して吸引して空気清浄機Ａを通過させて浄化し、さらに、空調機本体Ｃによって適温にした後、矢印ｆ１のように、浄化した調和空気をダクトＤ２を介して所望する空調空間へ供給可能としている。なお、本実施例では、矢印ｆ２のように外気を未処理空気と共に取り込み、ビルディング内の空気を新鮮に保つことができるようにしている。
【００２５】
空気を浄化するために、空気清浄機Ａは集塵ユニット１を具備しており、同集塵ユニット１は、図２に示すように、塵粒子ａに帯電させる荷電部２１と、複数のプラス極板２２とマイナス極板２３とを交互に配設した集塵部２０とを有する電子式の集塵セル２と、比較的に大きな塵や埃等を除去する第１フィルター３１と、最終的に塵を除去する第２フィルター３２とから構成している。なお、前記フィルター３１，３２  のいずれかを活性炭フィルターとし、脱臭機能を付与することもできる。
【００２６】
空気清浄機Ａは、上記した集塵ユニット１をケーシングに収納して構成しているが、集塵ユニット１の個数は、設置する空調機本体Ｃの処理風量に見合うだけの数が必要となる。
【００２７】
したがって、ケーシングの大きさとしては、従来では必要個数の集塵ユニット１を収容するだけの大きさが必要となるが、本発明では、複数に分割した前・後面開放の分割ケーシング４を、必要段だけ積層して空調機本体Ｃに見合うように構成している。
【００２８】
本実施例では、図３及び図４に示すように、上記構成の分割ケーシング４に集塵ユニット１を４個収納し、３段に積み重ねて積層することにより、本実施例で使用する空調機本体Ｃに見合った空気清浄機Ａを構成している。
【００２９】
なお、図３及び図４中、４６は分割ケーシング４の底壁４４に取付ける床チャンネル材であり、空気清浄機Ａを設置する場合の最下段に位置する分割ケーシング４にのみ取付ける。
【００３０】
ここで、図５〜図１３を参照しながら、本発明の要旨となる上記空気清浄機Ａのケーシング構造について以下に詳述する。
【００３１】
図５〜図９に示すように、本発明の要部となる分割ケーシング４は、薄板状の天井壁４１と左右側壁４２，  ４３と底壁４４とから構成して全体を軽量化すると共に、横臥状態に載置可能な直方体形状とし、底壁４４の裏面中央部には、断面ハット状の補強部材４９を長手方向に沿って設け、剛性を高めている（図９参照）。
【００３２】
また、分割ケーシング４の内部には、上記集塵ユニット１を横並びに一段収納するだけの装置収納空間Ｑを形成し、かつ、前後開放状態に形成している。本実施例では、前述したように、装置収納空間Ｑを集塵ユニット１が４個連続的に並設できる大きさに形成している（図７参照）。
【００３３】
また、同分割ケーシング４の天井壁４１外面端部には位置決め用凸部５を形成すると共に、底壁４４外面には、前記凸部５と対応する位置決め用凹部６を形成している。
【００３４】
かかる位置決め用凸部５を位置決め用凹部６に嵌入させることにより、分割ケーシング４を多段に積み重ねる際にその位置決めを確実に行うことができ、現場での設置作業が容易となり、かつ、各分割ケーシング４同士がずれたりすることを防止している。
【００３５】
図５及び図６に示すように、同分割ケーシング４の左側壁４２に集塵ユニット１の出し入れ口７を形成すると共に、同出し入れ口７には扉体８を開閉自在に設けている。
【００３６】
また、図５、図６、図９に示すように、分割ケーシング４の天井壁４１及び底壁４４の内側面には、それぞれ、一定の間隔をあけて並設した２条のレール部１１を設けている。
【００３７】
同レール部１１は、図１３に示すように、集塵ユニット１の第１、第２フィルター３１，３２  を摺動させて、上記出し入れ口７より出し入れ自在とすると共に、両フィルター３１，３２  の配設状態において保持するためのものであり、両レール部１１，１１  間には、前記第１、第２フィルター３１，３２  と同様に集塵セル２を摺動させて出し入れ口７より出し入れ自在としている。図１３中、２ａは集塵セル２に取付けた把持部である。
【００３８】
上記レール部１１は、図９に示すように、天井壁４１等と略同肉厚の鋼板を折り返して２つの凸部１１ａ，１１ａ  を形成し、両凸部１１ａ，１１ａ  間に形成される凹部１１ｂ  をフィルター保持兼用摺動部としている。
【００３９】
そして、鋼板の一端１１ｃ  を、天井壁４１及び底壁４４に形成した切欠部４１ａ  に嵌入し、他端部１１ｄ  を取付ボルト１２で両壁４１，４４  に固定している。
【００４０】
かかる構成により、レール部１１を分割ケーシング４に簡単、かつ、強固に取付けることができる。
【００４１】
また、上記した扉体８は、図１０に示すように、左側壁42の一側端部を段付蝶番83で枢支して揺動自在とすると共に、他側にラッチ84を設けて開閉可能に構成している。そして、扉体８の内側面には、出し入れ口７の全周を囲むようにゴムスポンジ製のエアシール88を貼設している。
【００４２】
かかるエアシール８８により、出し入れ口７から未処理の空気が直接流入して空調機本体Ｃへ流れることがなく、また、吸入した空気を出し入口７から漏らすことなく効率的に空調機本体Ｃへ送ることができる。
【００４３】
また、上記したラッチ８４は、図１０及び図１１（ａ），（ｂ）に示すように、扉体８の一側端面にブラケット８５を介して取付けたラッチ本体８６と、分割ケーシング４の左側壁４２に取付け、先端に係合爪８７ａ  を形成したラッチ受体８７とから構成している。
【００４４】
ラッチ本体８６は、前記係合爪８７ａ  と係合する被係合用切欠部８６ａ  を形成した被係合片８６ｂ  と、同被係合片８６ｂ  の中途から後方へ伸延するレバー片８６ｃ  と、ブラケット８５と連設するためのブラケット取付片８６ｄ  とからなり、被係合片８６ｂ  とブラケット取付片８６ｄ  とをスプリング８６ｅ  を取付けた枢支部８６ｆ  を介して連結し、互いに離隔する方向へ付勢している。８６ｇ  は枢軸である。
【００４５】
また、被係合片８６ｂ  の先端を折曲して、ラッチ受体８７の係合爪８７ａ  に対するテーパ面８６ｈ  を形成し、扉体８を閉じる場合、同テーパ面８６ｈ  が係合爪８７ａ  により押され、被係合片８６ｂ  全体がスプリング８６ｅ  に抗して押し広げられる。さらに扉体８が閉方向へ進むと、係合爪８７ａ  が被係合用切欠部８６ａ  に嵌入し、同時に、被係合片８６ｂ  がスプリング８６ｅ  の復元力によって押し戻されロック状態となる。
【００４６】
このように、扉体８は閉じるだけで、特別な操作することなく自動的にロックされるものである。
【００４７】
一方、扉体８を開ける場合は、図１１（ｂ）に示すように、レバー片８６ｃ  を矢印ｅ方向へ押せばよい。かかる動作により、係合爪８７ａ  と被係合片８６ｂ  との係合が解除され、同時に扉体８の内側面に配設したエアシール８８の復元力によって自動的に開くことになる。
【００４８】
ところで、図５、図１０に示すように、扉体８の内部には、電装部カバー８２で閉蓋自在とした電装部収納空間８１を形成している。図５中、８０は電装部カバー８２を扉体８に取付けるためのボルトである。
【００４９】
電装部収納空間８１内には、図１２に示すように、前記した電子式の集塵セル２に接続する電装部９を収納配設している。同電装部９は、集塵セル２に高圧電流を供給する高圧トランス９１等を具備しているものである。
【００５０】
図１２中、９２は上記高圧トランス９１，９１  を取付ける電装部ベース板、９３は扉体８の外側面に設けた運転スイッチ、９４，９４  は同運転スイッチ９３に並設し、各高圧トランス９１，９１  毎の運転状況を表示する運転ランプ、９９は電源コードのロックサドルである。
【００５１】
また、９５は端子台であり、同端子台９５は、図６に示すように、分割ケーシング４の左側壁４２に設けている。そして、同端子台９５と高圧トランス９１とを配線接続するために、扉体８の内側面には切欠部８ａを設けている。
【００５２】
また、９６，９６  は扉体８の上下にそれぞれ設けた安全スイッチであり２本の交流電線をそれぞれ自動的にＯＮ・ＯＦＦ可能としている。
【００５３】
すなわち、各安全スイッチ９６の裏側には、分割ケーシング４の左側壁４２に当接するようにスイッチ作動用突起部９７を進退自在に設け（図６参照）、扉体８を閉じた場合は前記突起部９７が左側壁４２により押し込まれてＯＮとなり、扉体８を開けた場合は突起部９７が進出した状態となって自動的にＯＦＦとなるように構成している。
【００５４】
また、図１０において、８９は扉体８を枢支する段付蝶番８３と左側壁４２との間に形成した配線空間であり、分割ケーシング４を多段に積み重ねたとき、各電装部９間を接続する配線（図示せず）は同配線空間８９内を通すようにしている。したがって、扉体８の開閉時においても配線は無用なねじれ等を生じることがない。
【００５５】
また、同配線空間８９の上方に位置する天井壁４１の縁部には配線用切欠部８９ａ  を形成しており、配線は同配線用切欠部８９ａ  を通すようにしている（図５、図６参照）。
【００５６】
このように、分割ケーシング４の出し入れ口７に取付けた扉体８の内部に電装部９を配設したので、すっきりとした外観となり、分割ケーシング４を多段に積み重ねた場合、各電装部９同士を接続することも容易となる。
【００５７】
また、従来の大型一体ケーシングであれば、電装部９はケーシング上部に位置していたが、本発明では、電装部９は空気清浄機Ａの側部に位置するので、現場における電装部９のメンテナンス等が容易に行える。
【００５８】
上記してきた本発明に係る空気清浄機Ａを空調機本体Ｃに連設する場合は、分割ケーシング４に合いフランジＦを取付け、同フランジＦにダクトＤを連結して連設するようにしている（図８参照）。
【００５９】
かかる合いフランジＦは、図７に示した取付ボルトＦ１で分割ケーシング４の前・後面周縁に取付けるものであり、図３に示すように、例えば、３段に分割ケーシング４を積み重ねた場合、水平に取付ける合いフランジＦは、１段目の底壁４４と３段目の天井壁４１とに取付ければよい。
【００６０】
一方、垂直方向に取付ける合いフランジＦは、各分割ケーシング４を積み重ねた状態で左右側にそれぞれ取付ける。
【００６１】
図１４は分割ケーシング４を多段に積み重ねて構成した空気清浄機Ａの斜視図であり、同空気清浄機Ａを設置する場合、据付現場において、図１２に示すように合いフランジＦを取付けた状態に組立て、その後、気密性を考慮しながらダクトＤと合いフランジＦとを重合させて、空気清浄機Ａを空調機本体Ｃに連設する（図１参照）。
【００６２】
上記してきたように、本発明に係る空調機取付用空気清浄機のケーシング構造は、ケーシングをコンパクトな分割ケーシング４としているので、空気清浄機Ａを施工現場等へ搬送する場合も分割搬送することが可能となり、小型車両等でも十分に対応可能となる。
【００６３】
また、設置現場への搬入も少人数でよく、しかも、窓や出入口からの搬入も可能なので、ビルディングの建築作業の進捗とは直接関係がなく、搬入期日の厳しい指定も不要となる。
【００６４】
また、例えばビルディングの建築工事終了後であっても、あるいは、既設のビルディング等であっても、空気清浄機Ａを分割して搬送することによって、既設の空調施設に空気清浄機Ａを後から装置することが可能となる。
【００６５】
空気清浄機Ａを分割して搬送した後は、現場において組立てることが可能であり、その組立てに際しては、先ず、最下段に位置させる分割ケーシング４の底壁４４の裏面に床チャンネル材４６を取付けて、所要個所に設置し、その上に順次、分割ケーシング４を積み重ねる。
【００６６】
このときに、分割ケーシング４には位置決め用凸部５及び凹部６を形成しているので、同凹部６に凸部５を嵌入させることで容易に位置決めを行え、歪みのない確実な積み重ねが行える。
【００６７】
そして、ダクトＤと連設するための合いフランジＦを取付けると共に、各ケーシング４の集塵ユニット収納空間Ｑ内に集塵ユニット１を収納する。
【００６８】
さらに、電装部９同士を接続して組立を終え、その後、構築した空気清浄機Ａを空調機本体Ｃに連設するものである。
【００６９】
ところで、上記した分割ケーシング４は、集塵ユニット１を４個収納可能に形成しているが、その収納個数については何ら限定するものではなく、例えば、図１５及び図１６に示すように、集塵ユニット１の収納個数を適宜変更することが可能である。
【００７０】
図１５に示すものは、３個の集塵ユニット１を水平方向へ連続的に並設可能に構成した分割ケーシング４であり、図１６に示すものは、５個の集塵ユニット１を水平方向へ連続的に並設可能に構成した分割ケーシング４である。
【００７１】
なお、集塵ユニット１が分割ケーシング４内に４個以下の場合は、高圧トランス９１は１個で対応することが可能であるが、集塵ユニット１が５個以上の場合は２個の高圧トランス９１が必要となる。
【００７２】
また、図１７に示すものは、先の実施例の分割ケーシング４を４段に積み重ねて１つのユニットとなし、かかるユニットを二列に並設して空気清浄機Ａを構成したものである。
【００７３】
この場合、各列に積層する分割ケーシング４の扉体８はそれぞれ外方へ向くように配設することは勿論である。
【００７４】
また、この場合においても、各分割ケーシング４内に収納する集塵ユニット１の数は限定するものではない。
【００７５】
このように、かなりの処理風量を行う大型の空調機本体Ｃにも対応することができ、汎用性が向上する。
【００７６】
以上説明してきたように、空調機本体の処理風量に応じて、分割ケーシング４を適宜積み重ねて空気清浄機Ａを構成することを可能としたことにより、空調機本体Ｃの処理風量に応じた、多数のバリエーションの空気清浄機Ａを得ることができる。
【００７７】
しかも、分割ケーシング４を多量に生産することで製造コストを下げることができ、かつ、搬送コストも下げることができるので、空調システム全体コストの低減を図ることができる。
【００７８】
【発明の効果】
（１）空調機本体と空気取入口との間に介設し、複数の集塵ユニットをケーシング内に複数列・複数段に配設して構成した空調機取付用空気清浄機であって、上記ケーシングは、前・後面開放に形成した分割ケーシングを多段に積層して構成し、各分割ケーシングは、横臥状態に載置可能な直方体形状に形成すると共に、同ケーシング内に、複数の集塵ユニットを横並びに一段収納するだけの装置収納空間を形成し、さらに、同ケーシングの一側端面に集塵ユニットの出し入れ口を形成し、同出し入れ口には、前記集塵ユニットの集塵セルに接続する電装部を収納配設した扉体を開閉自在に枢支したことにより、空気清浄機を施工現場等へ搬送する場合も分割搬送することが可能となり、小型車両等でも十分に対応可能となる。しかも、分割ケーシングを多段に積み重ねる場合、各電装部同士を接続することも容易となる。また、既存の空調機の処理風量に応じた多数のバリエーションの空気清浄機を容易に構成することができる。さらに、分割ケーシングを多量に生産することで製造コストを下げることができ、かつ、搬送コストも下げることができる。
【００７９】
また、設置現場への搬入も少人数でよく、しかも、窓や出入口からの搬入も可能なので、ビルディングの建築作業の進捗とは直接関係がなく、搬入期日の厳しい指定も不要となる。
【００８０】
また、例えばビルディングの建築工事終了後であっても、あるいは、既設のビルディング等であっても、空気清浄機を分割して搬送することによって、既設の空調施設に空気清浄機を後から装置することが可能となる。
【００８１】
（２）上記分割ケーシングの天井壁外面に位置決め用凸部を形成すると共に、底壁外面には、前記凸部と対応する位置決め用凹部を形成したことにより、同凹部に凸部を嵌入させることで容易に位置決めを行え、歪みのない確実な積み重ねが行える。
【００８２】
（３）上記扉体を枢支する段付蝶番と側壁との間に配線空間を形成し、同配線空間の上方に位置する天井壁の縁部に配線用切欠部を形成したことにより、配線は無用なねじれ等を生じることがなく、かつすっきりとした外観となり、分割ケーシングを多段に積み重ねた場合、各電装部同士を接続することも容易となる。
【図面の簡単な説明】
【図１】本発明に係るケーシング構造を具備する空気清浄機の設置状態を示す説明図である。
【図２】同空気清浄機が具備する集塵ユニットの概念的説明図である。
【図３】同空気清浄機の正面図である。
【図４】同側面図である。
【図５】同空気清浄機の分割ケーシングの斜視図である。
【図６】同扉体を全開した状態の斜視図である。
【図７】同正面図である。
【図８】同側面図である。
【図９】図７のＩ−Ｉ線における断面図である。
【図１０】図８のＩ−Ｉ線における断面図である。
【図１１】ラッチの説明図である。
【図１２】電装部の説明図である。
【図１３】分割ケーシングに集塵ユニットを収容する状態を示す説明図である。
【図１４】空気清浄機の斜視図である。
【図１５】他の実施例に係る分割ケーシングの正面図である。
【図１６】他の実施例に係る分割ケーシングの正面図である。
【図１７】他の実施例に係る空気清浄機の正面図である。
【符号の説明】
Ａ  空気清浄機
Ｃ  空調機本体
１    集塵ユニット
２    集塵セル
４  分割ケーシング
５    位置決め用凸部
６    位置決め用凹部
７    出し入れ口
８    扉体
２０    集塵部
２１    荷電部
２２    プラス極板
２３    マイナス極板
４１    天井壁
８４    ラッチ
【図１】
0003553661.tif 000002
【図２】
0003553661.tif 000003
【図３】
0003553661.tif 000004
【図４】
0003553661.tif 000005
【図５】
0003553661.tif 000006
【図６】
0003553661.tif 000007
【図７】
0003553661.tif 000008
【図８】
0003553661.tif 000009
【図９】
0003553661.tif 000010
【図１０】
0003553661.tif 000011
【図１１】
0003553661.tif 000012
【図１２】
0003553661.tif 000013
【図１３】
0003553661.tif 000014
【図１４】
0003553661.tif 000015
【図１５】
0003553661.tif 000016
【図１６】
0003553661.tif 000017
【図１７】
0003553661.tif 000018